Podtech/llm-jp-corpus-v4-ja_patent huggingface dataset:
(57)【要約】【課題】  被覆材を巻き付けてあっても段差を生じず、かつ大径化を最小限にとどめた被覆電線を提供する。【解決手段】  線状の導体１の外周にテープ状の絶縁フィルム２がラップ巻きされており、前記絶縁フィルム２の幅方向断面形状が、表面側に凸な曲線と裏面側に凸な曲線とで構成されており、中央部から両端側へ向けて先細に形成されている。【選択図】      図１
2011216223.tif 000002
【特許請求の範囲】
【請求項１】
線状の導体の外周にテープ状の絶縁フィルムがラップ巻きされており、前記絶縁フィルムの幅方向断面形状が、中央部から両端側へ向けて先細に形成されていることを特徴とする被覆電線。
【請求項２】
前記絶縁フィルムの幅方向断面形状が、表面側に凸な曲線と裏面側に凸な曲線とで構成されていることを特徴とする請求項１記載の被覆電線。
【発明の詳細な説明】
【技術分野】
【０００１】
本発明は、被覆材を巻き付けて被覆した被覆電線に関する。
【背景技術】
【０００２】
従来、絶縁のためにエナメルを塗布した電線がある。このような電線は主にモータのコイル巻線などに使用されているが、直角に近い角度で屈曲させると塗布したエナメルがはがれてしまうという問題があった。これに対し、特許文献１の図２に示すように、絶縁テープからなる被覆材を、幅方向に一部重なり合うラップ部を形成しながら螺旋状に巻いた電線があり（このような巻き方をラップ巻きという）、このような電線は、屈曲部においても被覆材がはがれることはない。しかし、被覆材の幅方向断面形状が矩形であるから、ラップ部には段差を生じ、電線の直径が均一でなくなってしまう。そこで特許文献１の発明は、ラップ部以外の部分に絶縁塗料層を形成してラップ部と略同一の外径としている。
【先行技術文献】
【特許文献】
【０００３】
【特許文献１】実開平４−１１６３１１号公報
【発明の概要】
【発明が解決しようとする課題】
【０００４】
しかしながら、絶縁塗料層は、屈曲部においてはがれてしまうおそれがあるし、電線全体の直径が太くなるので、とくにコイル巻線に使用する場合には占積率が低くなってしまう。
【０００５】
本発明は、上記事情を鑑みたものであり、被覆材を巻き付けてあっても段差を生じず、かつ大径化を最小限にとどめた被覆電線を提供することを目的とする。
【課題を解決するための手段】
【０００６】
本発明のうち請求項１の発明は、線状の導体の外周にテープ状の絶縁フィルムがラップ巻きされており、前記絶縁フィルムの幅方向断面形状が、中央部から両端側へ向けて先細に形成されていることを特徴とする。
【０００７】
本発明のうち請求項２の発明は、前記絶縁フィルムの幅方向断面形状が、表面側に凸な曲線と裏面側に凸な曲線とで構成されていることを特徴とする。
【発明の効果】
【０００８】
本発明のうち請求項１の発明によれば、ラップ部においては絶縁フィルムの薄い部分同士が重なることになるから、ラップ部に段差を生じることがなく、電線の直径を均一にできる。また、絶縁フィルムの薄い部分は曲げやすいので、電線の屈曲にも柔軟に対応できる。
【０００９】
本発明のうち請求項２の発明によれば、巻き付けた絶縁フィルムの表面（露出する面）および裏面（導体に接する面）のいずれも、角部のない平滑な形状となるので、とくにコイル巻線に使用する場合に、電線同士を密接させて占積率を高くすることができる。また、導体への密着度も高く、確実に絶縁できる。
【図面の簡単な説明】
【００１０】
【図１】本発明の被覆電線の外観図および中心軸断面図。
【図２】絶縁フィルムの断面形状の他の実施例を示す説明図。
【発明を実施するための形態】
【００１１】
本発明の被覆電線の具体的な構成について、各図面に基づいて説明する。この被覆電線は、図１（ａ）に示すように、断面円形の銅線からなる導体１の外周に、テープ状の絶縁フィルム２をラップ巻きしてある。ここでラップ巻きとは、絶縁フィルム２の幅方向に一部重なり合うラップ部３を形成しながら螺旋状に巻く巻き方であり、このようにして巻いた絶縁フィルム２の露出する面を表面、導体１に接する面を裏面とする。そして、図１（ｂ）に示すように、絶縁フィルム２の幅方向断面形状は、表面側に凸な曲線と裏面側に凸な曲線とで構成され、中央部から両端側へ向けて先細に形成されている。よって、ラップ部３においては絶縁フィルム２の薄い部分同士が重なることになる。なお、図面上は、導体１と絶縁フィルム２との間に空隙があるが、実際の絶縁フィルム２はある程度の伸縮性を有するものであり、これに張力をかけながら巻き付けることで、絶縁フィルム２が導体１に密着し、空隙はなくなる。
【００１２】
このように構成した被覆電線は、ラップ部３に段差を生じることがなく、電線の直径を均一にできる。また、絶縁フィルム２の薄い部分は曲げやすいので、電線の屈曲にも柔軟に対応できる。さらに、巻き付けた絶縁フィルム２の表面および裏面のいずれも、角部のない平滑な形状となるので、とくにコイル巻線に使用する場合に、電線同士を密接させて占積率を高くすることができる。また、導体１への密着度も高く、確実に絶縁できる。
【００１３】
また、本発明の別実施形態として、図２に示すように、絶縁フィルム２の幅方向断面形状が、菱形のもの（図２（ａ））や、六角形のもの（図２（ｂ））が挙げられる。これらの実施形態においても、ラップ部３においては絶縁フィルム２の薄い部分同士が重なることになり、ラップ部３に段差を生じることがない。なお、図面上は、絶縁フィルム２の表面に角部があるが、実際には、伸縮性を有する絶縁フィルム２を、張力をかけながら巻き付けることで、角部が丸みを帯び、図１（ｂ）に示すような曲線形状に近い形状になると考えられる。
【００１４】
本発明は、上記の実施形態に限定されない。たとえば、導体は、線状のものであれば、断面形状は矩形であってもよい。また、絶縁フィルムには、従来使用されている種々の材質のものを用いることができる。
【符号の説明】
【００１５】
１  導体
２  絶縁フィルム
【図１】
2011216223.tif 000003
【図２】
2011216223.tif 000004
(57)【要約】【課題】本発明は、マイナスイオンの検出センサ−を要せず、湿度検出器によってコントロ−ルできることから、室内加湿調製によってマイナスイオン効果が発生する。マイナスイオン発生の灯明・可視システム一連の機能構造を提供する。【解決手段】マイナスイオンの稼動効率の適する相対湿度範囲は、５５％から６２％にすることによって、相乗的快適室内空間を提供する。灯明物・可視システムのカバ−部分を容易に着脱することができ、清掃も容易にでき利便性に優れている。【選択図】なし【特許請求の範囲】
【請求項１】
室内に灯明・可視システムを成形し、マイナスイオン発生装置の着脱自在を可能とした、マイナスイオン効果の灯明・可視体を特徴とした。
【請求項２】
マイナスイオン検出センサ−を使用としない湿度検出器によるコントロ−ルをもって、室内加湿調整によるマイナスイオン発生効果を特徴とした。
【請求項３】
灯明・可視の形成部を一連システム構造としてなる相対湿度範囲にマイナスイオン発生を特徴とした。
【請求項４】
前記、所定範囲の湿度は、相対湿度５５％から６２％である請求項１から請求項３のマイナスイオン発生装置を特徴とした。
【請求項５】
前述完成させた構造の趣旨を逸脱しない範囲の変更は、本発明に含まれる。
【発明の詳細な説明】
【技術分野】
【０００１】本発明は、灯明・可視システム装置に用いられるマイナスイオン発生装置、具体的には、空気中にマイナスイオンを発生させ浮遊する有害物質・花粉・ダスト等を取り除くシステムを提供するもの。
【背景技術】
【０００２】従来、空気清浄器のような製品が多種類増えている趨勢にある。その装置には室内空気対流のため、送風装置をもって関連駆動によって空気浄化をするため、設置及び使用空間を要し、電源接続装置等においての問題点がある。
【発明の開示】
【発明が解決しようとする課題】
【０００３】しかしながら、単にマイナスイオン発生装置・空調装置をもって室内環境を充足できないことから、一例として特許登録第３６２５８００に開示されたマイナスイオン発生装置は、シンプルシステムで室内空気が浄化されるようになっている。したがって前述の問題点を解決ためにマイナスイオンを効率よく発生できる、本発明は、人体に快適なマイナスイオンを効率的に発生させるマイナスイオン発生装置を提供することを課題としている。
【課題を解決するための手段】
【０００４】本発明は、上記問題を解決するにあたりマイナスイオンと湿度・その相乗関係、室内湿度の低さに比例してマイナスイオンが低下し、湿度の高さに比例してマイナスイオンが効率よく発生をする。しかしながら、湿度が高すぎると、その室内の快適性を損ないかねない。したがって、マイナスイオンの発生部を稼動させる湿度範囲としては、例えば相対湿度５５％から６２％にすることが望ましい。
【発明の効果】
【０００５】前記、マイナスイオンの発生しにくい室内空気の湿度の所定範囲により効果・効率が実証できた。つまり、マイナスイオンの検出センサ−を要せず、湿度検出器によってコントロ−ルができることから室内加湿調整によってマイナスイオン効果が発生する。【０００６】また、マイナスイオンの発生量は湿度調製によって異なる効果が認識でき、本発明によってマイナスイオンの空気流路の湿度状態を保持しマイナスイオンを供給することで相乗的快適空間を提供する。【０００７】灯明・可視システムデザインは必要に応じて、円形、多角形状に成型可能とし、自在にできることを特徴とする。【０００８】上記本体は必要に応じて空気の通行孔の増加、好みの着色、好みの模様、デザインの創意によって可能となる。【０００９】着脱可能が自在なので清掃、交換が容易である。【００１０】構造が簡単で破損の少ないことからも取り扱いの注意を払わなければならない煩わしさもなく灯明の機能が保たれ構造上不良製品もなく安価に製造できる。
【発明を実施するための最良の形態】
【００１１】本発明のマイナスイオン発生の灯明・可視システムは、技術的形態を具現化し実施例について説明する。
【実施例】
【００１２】この発明にかかわるマイナスイオン発生装置が組み込まれた灯明・可視を含むシステムには、灯火・灯明構造に一連の機能構造をもつ全体構造を維持し、多くの詳細形態の加えられ構造趣旨を逸脱しない範囲の変更は、本発明に含まれる。
【産業上の利用可能性】
【００１３】本発明は、人間によっての個人差・体感差は多少あるものの、室内温度・湿度の調整によって快適ゾーンがあってもマイナスイオン濃度の低さから睡魔・無気力・不愉快等の兆候がでる。マイナスイオンの濃度が高まると気分の安定・注意力・集中力の増加効果が認められる。マイナスイオンの存在は、公知・知見が開示されている、マイナスイオンの存在に、自律神経が影響し鎮静作用によって判断力・注意力が増加し精神安定に寄与する文献は開示されている。このマイナスイオン効果を一連機能構造システムのマイナスイオン発生機構活用は、公共施設や一般家庭の空気清に、安全、安価であることから産業上に活用できる。
(57)【要約】【課題】  スイッチを使い続けていると、スイッチのオン・オフの際に発生する電流と空気中のシリコンガスにより、スイッチ接点にシリコン酸化物が堆積し、スイッチに接点障害が発生する。その結果、スイッチ接点の接触抵抗が大きくなる。【解決手段】  スイッチ接点を含む電気回路内に、電流の向きを変えるための切替スイッチと、当該切替スイッチを切り替えるリレーを設けることで、スイッチ接点におけるシリコン酸化物の堆積を抑制し、接触抵抗が大きくならないようにした。【選択図】図１
2011216450.tif 000002
【特許請求の範囲】
【請求項１】
スイッチ接点を含む電気回路内に、電流の向きを変えるための切替スイッチと、当該切替スイッチを切り替えるリレーを設けたことを特徴とする電気回路
【請求項２】
扉等に取り付けられ、手動的又は自動的に施解錠操作を行う電気錠と、電気錠を電気的に駆動して施解錠する電気錠制御盤からなる電気錠システムにおいて、請求項１に記載した電気回路を利用したことを特徴とする電気錠システム
【発明の詳細な説明】
【技術分野】
【０００１】  本発明は、スイッチ接点における接触抵抗の上昇を抑える技術に関する。
【背景技術】
【０００２】  電流の開閉（オン・オフ）操作を長期にわたり続けていると、スイッチ接点に酸化物が次第に堆積し、接触抵抗が増大し、最終的には電流が流れなくなることが知られている。【０００３】  もっとも、動作電流が比較的大きな場合は、接触抵抗の値は小さく、安定している。問題は、動作電流が小さい場合である。動作電流がマイクロアンペアレンジである場合は、接触抵抗値が大きく、不安定になる。【０００４】  要するに、接点における接触抵抗の増大や接触不良は、動作電流が小さいほど、その発生確率が高いということである。【０００５】  従来の対策して、スイッチやリレーを密閉したり、一定期間毎に取り替えたり、あるいは定期点検毎に劣化度をチェックして、交換の必要があると認めた場合に取り替える等の対策が存在する。
【先行技術文献】
【特許文献】
【０００６】
【特許文献１】特開平６−９６６３７
【特許文献２】特開２００２−７５１０２
【発明の概要】
【発明が解決しようとする課題】
【０００７】  しかしながら、密閉構造にした場合、コスト的に非常に高価になることや装置内に収容仕切れなくなるといった問題がある。【０００８】  また、取り替える場合には取り替えが完了するまで使用できないという問題や交換頻度が高くなればその分コストがかかるという問題がある。【０００９】  これら諸問題を回避・解消しつつ、酸化物の発生を抑制する電気回路を提供することが課題である。
【課題を解決するための手段】
【００１０】  図３に示すようにスイッチ接点における電流の向きが常に同じだと、シリコン酸化物も堆積しやすいという点に着目した。そこで、スイッチ接点に流れる電流の向きを通電する度に切り替えることとした。つまり、スイッチ接点を含む電気回路内に、電流の向きを変えるための切替スイッチと、当該切替スイッチを切り替えるリレーを設けたことを特徴とする電気回路を開発した。
【発明の効果】
【００１１】  スイッチ接点に流れる電流の向きを通電する度に切り替えることで、シリコン酸化物等が堆積するスピードを遅くすることができるので、スイッチの接点障害が発生しにくくなり、製品の交換頻度を低くすることができる。
【図面の簡単な説明】
【００１２】
【図１】本発明に係る電気回路図
【図２】本発明に係る電気回路図（図１の逆向きに電流が流れる様子）
【図３】従来の電気回路図
【発明を実施するための形態】
【００１３】  扉等に取り付けられ、手動的又は自動的に施解錠操作を行う電気錠と、電気錠を電気的に駆動して施解錠する電気錠制御盤からなる電気錠システムにおいて、電気錠制御盤内に、切替スイッチＳＷ１と切替スイッチＳＷ２を同時に切り替えるリレーを設けることにより、通電の度に電流の向きを変えるようにした。
【実施例１】
【００１４】  図１は、電流が時計回りの向きに流れる様子を示す。
【実施例２】
【００１５】  図２は、図１の状態から、リレーにてＳＷ１とＳＷ２を同時に切り替えることで、電流の向きを逆転させた様子を示す。
【産業上の利用可能性】
【００１６】  本発明は、電気錠システム等、スイッチ接点を含む電気回路を構成要件とする製品に利用することができる。
【符号の説明】
【００１７】Ｒ…抵抗
ＳＷ…電気錠の施解錠スイッチ
ＳＷ１…リレーによって切り替えられる切替スイッチ
ＳＷ２…リレーによって切り替えられる切替スイッチ
【図１】
2011216450.tif 000003
【図２】
2011216450.tif 000004
【図３】
2011216450.tif 000005
(57)【要約】【課題】入浴は肢体不自由な人が浴槽に入る時は、家族や介助人が抱えて入浴させていたが、浴室は滑りやすく、危険であった。【解決手段】入浴時に仕切板▲１▼を差し込み、Ａの浴槽に湯を入れ，Ｂの空の浴槽にそのまま入り、仕切板▲２▼を差し込み、ポンプでＡの浴槽からＢの浴槽に湯を入れ、ＡとＢの浴槽の湯の深さが一緒になったら仕切板▲１▼を抜いて入浴する。浴槽から出る時は、Ｂの浴槽に移り、仕切り板▲１▼を差し込み、Ｂの浴槽の湯をポンプでＡの浴槽に入れ、Ｂの浴槽が空になったら、仕切り板▲２▼を抜いて洗い場に出る。肢体不自由な人が自力で入浴できることを特徴とする浴槽である。【選択図】図１
2011206508.tif 000002
【特許請求の範囲】
【請求項１】
浴槽を２槽にして脱着式の仕切り板で仕切り、湯を２槽の浴槽にポンプで出し入れすることを特徴とする浴槽。
【発明の詳細な説明】
【技術分野】
【０００１】  この発明は、肢体不自由な人が楽に浴槽に入れる形状に関する。
【背景技術】
【０００２】  従来の浴槽は図１のように肢体不自由な人が浴槽に入る時は、家族や介助人が抱えて入浴させたり、リフト等を利用して入浴させていた。
【発明の概要】
【発明が解決しようとする課題】
【０００３】  しかしながら、以上の技術によれば、家族や介助人に負担がかかり、お互いに怪我をしやすかった。
そこで、この発明は、１人で車椅子でも入れる浴槽を提供することを課題とする。
【課題を解決するための手段】
【０００４】  以上の課題を解決するために、浴槽を２槽に仕切り、湯を２槽の浴槽にポンプで出し入れすることを特徴とする浴槽で、肢体不自由な人が自力で入浴できることを特徴とする浴槽である。
【発明の効果】
【０００５】  この発明によれば、車椅子のままでも入浴できる浴槽であるので、介助人なしで、楽に入浴ができる。
【図面の簡単な説明】
【０００６】
【図１】この発明の一実施形態を示す斜視図である。
【図２】この発明の一実施形態を示す平面図である。
【図３】従来技術を示す斜視図である。
【図４】Ｂの浴槽に入る。
【図５】仕切り板▲２▼を入れる。
【図６】Ａの浴槽からＢの浴槽にポンプで湯を入れる。
【図７】仕切り板▲１▼を外す。
【図８】Ａの浴槽に移動する。
【図９】Ｂの浴槽に移動する。
【図１０】Ｂの浴槽の湯をＡの浴槽にポンプで移す。
【図１１】仕切り板▲２▼を外し浴槽から出る。
【発明を実施するための形態】
【０００７】  この発明の一実施形態を、図１に示す。
入浴の時は仕切板▲１▼を差し込み、Ａの浴槽に湯を入れ，入浴者はＢの空の浴槽にそのまま入り、仕切板▲２▼を差し込み、ポンプでＡの浴槽からＢの浴槽に湯を入れ、ＡとＢの浴槽の湯の深さが一緒になったら仕切板▲１▼を抜いて入浴する。
浴槽から出る時は、Ｂの浴槽に移り、仕切り板▲１▼を差し込み、Ｂの浴槽の湯をポンプでＡの浴槽に入れ、Ｂの浴槽が空になったら、仕切り板▲２▼を抜いて洗い場に出る。
【０００８】「実施形態の効果」
この実施形態によれば、肢体不自由な人が自力で入浴でき、車椅子のままでも入浴することができる。
【符号の説明】
【０００９】１  浴槽Ａ            ２  浴槽Ｂ          ３  仕切り板▲１▼
４  仕切り板▲２▼    ５  パッキン
【図１】
2011206508.tif 000003
【図２】
2011206508.tif 000004
【図３】
2011206508.tif 000005
【図４】
2011206508.tif 000006
【図５】
2011206508.tif 000007
【図６】
2011206508.tif 000008
【図７】
2011206508.tif 000009
【図８】
2011206508.tif 000010
【図９】
2011206508.tif 000011
【図１０】
2011206508.tif 000012
【図１１】
2011206508.tif 000013
(57)【要約】【課題】リンゴ、ナシ等の果物の皮をむくのは若い人達は得意ではない【解決手段】包丁を使わないで、取っ手（３）を持ち本体に付いている刃を果物に当てる事により溝が出来更に左右に刃を当てる事により、皮の抵抗感を無くす【選択図】図１
2011206501.tif 000002
【特許請求の範囲】
【請求項１】
本体（１）に刃（２）を設け、取っ手（３）を設けた果物の皮砕き
【発明の詳細な説明】
【技術分野】
【０００１】  本発明はリンゴ、ナシ、その他果物の皮をむいたと同様の状態にするものである
【背景技術】
【０００２】  従来は包丁で皮をむいていた
【先行技術文献】
【０００３】
【特許文献１】
【発明の概要】
【発明が解決しようとする課題】
【０００４】  最近の若い人達は包丁を余り使わない
包丁を使わなくても包丁と同様の効果を現すものである
【課題を解決する為の手段】
【０００５】  本体（１）に取っ手（３）と刃（２）を設ける
【発明の効果】
【０００６】  取っ手を持って果物に当てるだけで包丁で皮をむいたのと同様の効果が有る
【図面の簡単な説明】
【０００７】
【図１】本発明の断面図である
【図２】本発明の斜視図である
【図３】本発明の下面図である
【発明を実施するための形態】
【０００８】  取っ手（３）を持って刃（２）を果物に当てるだけで、細い溝が表面に付く、さらに縦、横に当たる事により皮の表面が細かく分断される
【符号の説明】
【０００９】  １    本体
２    刃
３    取っ手
【図１】
2011206501.tif 000003
【図２】
2011206501.tif 000004
【図３】
2011206501.tif 000005
(57)【要約】【課題】複雑なからくりで箱が開けられ、からくりを見つけることだけが目的であった。本発明は、シンプルなからくりで箱が開けられ、サイコロの用途にもなるものを提供する。【解決手段】四箇所のつっかえ棒を押し引き動かすことで、つっかえをはずし蓋が開けられ、箱を閉じればサイコロとしての用途にもなる。【選択図】図１
2011206503.tif 000002
【特許請求の範囲】
【請求項１】
つっかえ受け棒に、つっかえ棒をさしこむことによって、箱が開かなくなる、からくり箱ダイス。
【発明の詳細な説明】
【技術分野】
【０００１】  本発明は、シンプルなからくりで箱を開けられ、箱を閉じればサイコロとしての用途もある、からくり箱ダイスに関するものである。
【背景技術】
【０００２】  従来、複雑なからくりで箱が開けられ、からくりを見つけることだけが目的であった。
【先行技術文献】
【０００３】
【発明の概要】
【発明が解決しようとする課題】
【０００４】  複雑なからくりで箱が開けられ、からくりを見つけることだけが目的であった。本発明は以上の問題点を解決するものである。
【課題を解決するための手段】
【０００５】  四箇所のつっかえ棒を押し引き動かすことで、つっかえをはずし蓋が開けられ、箱を閉じればサイコロとしての用途にもなる。
【発明の効果】
【０００６】  四箇所のつっかえ棒の押し引きだけのシンプルなからくりで箱が開けられ、サイコロとしての用途もある。
【図面の簡単な説明】
【０００７】
【図１】本発明の蓋の開いた状態の斜視図
【図２】本発明の蓋の閉じた状態の斜視図
【発明を実施するための形態】
【０００８】  以下、本発明の実施の形態を説明する。
本体（１）に蓋（２）をかぶせ、つっかえ棒（５）・（７）をつっかえ受け棒（３）のつっかえ受け穴（９）・（１０）に、つっかえ棒（６）・（８）をつっかえ受け棒（４）のつっかえ受け穴（１１）・（１２）に通して、面と平らになるまで押し入れれば、サイコロになる。
本発明は以上のような構造である。
本発明を使用するときは、本体（１）の、二の目の左上のつっかえ棒（５）と、三の目の右上のつっかえ棒（６）を押し出し、反対側の五と四の目から（５）・（６）を引き出し、四の目の右下のつっかえ棒（７）と、五の目の左下のつっかえ棒（８）を押し出し、反対側の三と二の目から（７）・（８）を引き出して、つっかえをはずし、蓋（２）を引き上げ開ける。
【符号の説明】
【０００９】  （１）本体、（２）蓋、（３）・（４）つっかえ受け棒、（５）・（６）・（７）・（８）つっかえ棒、（９）・（１０）・（１１）・（１２）つっかえ受け穴
【図１】
2011206503.tif 000003
【図２】
2011206503.tif 000004
(57)【要約】【課題】足腰の強化のために特別な健康器具を使うことなく、自分で足またぎ運動をする時に、目標とする物がないために運動時間の経過とともに足が上がっていない事が往々にしてあった。【解決手段】本発明は、足を上げて前方または横方向に移動運動を行う時に、足またぎ運動の器具として特定の高さを持つ複数個の器具を床に置き、この器具を連続してまたぎながら移動運動を行うものである。【選択図】図１
2011206497.tif 000002
【特許請求の範囲】
【請求項１】
同じ形状で、特定の高さを有する器具を複数個並べて足でまたぐ健康器具。
【請求項２】
同じ形状で、左右に高低差を付けた器具を複数個並べて足でまたぐ健康器具。
【請求項３】
同じ形状で、高さの異なる複数個の器具を備えた足でまたぐ健康器具。
【発明の詳細な説明】
【技術分野】
【０００１】本発明は、足腰を強化する簡単健康器具に関するものである。
【背景技術】
【０００２】従来、足腰を強化する健康器具として市場に出ているものは多々あるが、高価なものが多く、特に、老人には取りつき難い器具であった。そのために、特別な健康器具を使うことなく自分で足またぎ運動をして足腰を強化していたが、目標とする物がないために時間の経過とともに足が上がっていない事が往々にしてあった。
【発明の概要】
【発明が解決しようとする課題】
【０００３】解決しようとする問題点は、特別な健康器具を使うことなく自分で足またぎ運動を続けている時に、目標とする物がないために時間の経過とともに足が上がっていない事が往々にしてあった。
本発明は、これらの欠点を改善するためになされたものである。
【課題を解決するための手段】
【０００４】本発明は、足を上げて前方または横方向に移動運動を行う時に、足またぎ運動の器具として特定の高さを持つ複数個の器具を床に並べ、この器具を連続してまたぎながら移動運動を行うものである。
本発明は以上の構成によりなる足またぎ健康器具である。
【発明の効果】
【０００５】本発明は、足またぎ運動の器具として、特定の高さを持つ複数個の器具を床に並べ、この器具を連続してまたぎながら移動運動を行うもので、足が上がっていない場合には器具が倒れるので細心の注意を払う必要があり、器具を使用せず足を上げる運動とでは大きく効果に違いが出る。この運動を続ける事により歩行時の足腰の強化につながり、歩行時の足が高く上がる様になり、つまずく事がなく、ひいては寝たきりの予防、防止になる健康器具を提供する。
以上の本発明により、従来の欠点が解消され足腰の強化に繋がるものである。
【図面の簡単な説明】
【０００６】
【図１】足またぎ運動器具の斜視図
【図２】足またぎ運動器具の応用例の斜視図
【図３】高低差のある足またぎ運動器具の斜視図
【図４】複数の足またぎ運動器具の組み合せ例の斜視図
【発明を実施するための形態】
【０００７】以下、本発明の実施の形態に基づいて説明する。
【実施例１】図１に基づいて実施例１を説明する。【０００８】図１の特定の高さを持つ器具（図１のａ）を任意の間隔で複数個並べて置き、この複数個並べた器具を連続してまたぐ運動を繰り返す。足が充分な高さに上がらない場合は器具が倒れることになり、足を上げるという意識が高まる。【０００９】この、器具をまたぎながら前進移動し、器具が無くなったところで体の向きを変えて前進移動をする。この足またぎ運動を繰り返すことにより足腰の強化に繋がる。【００１０】また、前進移動の他に横向きに移動する運動と組み合わせた足またぎ運動を繰り返すことで、より一層の足腰の強化に繋がる。【００１１】また、（図１のａ）の器具と同じ形状で高さの低い器具（図１のｂ）を用いることにより、足腰の負担を下げ、緩やかに移動運動を行うことができる。
一方、比較的またぎやすいので軽やかに、速度を早く足またぎ運動する事により足腰の強化に繋げることができる。
【実施例２】図２に基づいて実施例２を説明する。【００１２】次に、実施例１で説明した、器具（図１のａ）の横に器具（図１のｂ）を並べ左右の高さが異なる一対の器具（図２）とし、実施例１と同様に任意の間隔で複数個並べて、この器具を連続してまたぐ運動を繰り返す。この左右に高低差を付ける事により足の運び方に微妙に違いがでることになり、足またぎ運動を繰り返すことで、足腰の強化とともにバランス間隔の向上にも繋がる。
【実施例３】図３に基づいて実施例３を説明する。【００１３】実施例２では、２つの器具を組み合わせて左右に高低差を付けた一対の器具として説明したが、一つで左右に高低差を持つ器具（図３）を用いても同様な効果が得られるものである。
【実施例４】図４に基づいて実施例４を説明する。【００１４】同じ形状で高さの異なる複数個の器具を準備し、高さの低い器具から順番に高い器具を並べる（図４）、また、その逆に並べる（図４）、あるいは、不規則に並べることにより、変化のある足またぎ運動を繰り返す事になり足腰の強化とともにバランス間隔の向上にも繋がる。【００１５】器具の材質としては、運動中に器具を倒した時にも危なくない材質であればよいが、軽くて弾力性があり、形状復元性に優れた素材が望ましい。【００１６】本実施例の説明図において、器具の下部の左右の外側にツバを出したが、器具を置いた時にぐらつきがなく安定した素材であれば必ずしも必要ではなく、また、ツバ以外の形状でもよい。【００１７】本実施例では、かまぼこ形の器具での実施例を説明したが、この形状にこだわるものではなく、安全に足またぎ運動ができ、足腰の強化に繋がる形状であればよい。【００１８】本発明の器具は同じ形状もしくは相似形をしているために複数個重ねても収納場所を取らない器具である。
【符号の説明】なし
【図１】
2011206497.tif 000003
【図２】
2011206497.tif 000004
【図３】
2011206497.tif 000005
【図５】
2011206497.tif 000006
【手続補正書】
【提出日】平成22年5月20日(2010.5.20)
【手続補正２】
【補正対象書類名】図面
【補正対象項目名】全図
【補正方法】変更
【補正の内容】
【図１】
2011206497.tif 000007
【図２】
2011206497.tif 000008
【図３】
2011206497.tif 000009
【図４】
2011206497.tif 000010
(57)【要約】      （修正有）【課題】取っ手を持って大根に直角に当て本体を左右に動かして大根を持たずに大根おろしを作るおろし器を提供する【解決手段】重くて不安定な大根を持たずに、おろし器を左右に動かす取っ手１を持って突起３を大根に押し当てておろし器だけを動かして大根おろしを作る【選択図】図１
2011206500.tif 000002
【特許請求の範囲】
【請求項１】
本体（２）に取っ手（１）を設け、突起（３）を利用して、左右に本体を動かす事により、大根をおろす事を特徴とする大根おろし器
【発明の詳細な説明】
【技術分野】
【０００１】本発明は大根おろしに関するものである
【背景技術】
【０００２】従来は大根を持っておろした
【先行技術文献】
【０００３】
【特許文献１】
【発明の概要】
【発明が解決しようとする課題】
【０００４】大根が太くて重い。
【課題を解決するための手段】
【０００５】本発明は大根を持たずにおろし器を持って大根をおろすものである
【発明の効果】
【０００６】太くて重い大根を持たないので非力な人でも簡単に大根おろしが出来る
【図面の簡単な説明】
【０００７】
【図１】本発明の断面図である
【図２】本発明の側面図である
【図３】本発明の下面図である
【発明を実施するための形態】
【０００８】取っ手（１）を持って本体（２）を直接大根に当て左右に動かして大根をおろす
【符号の説明】
【０００９】１  取っ手
２  本体
３  突起
【図１】
2011206500.tif 000003
【図２】
2011206500.tif 000004
【図３】
2011206500.tif 000005
(57)【要約】【課題】    折り畳み易さや軽量を維持しつつ、使用時には自立させることが出来、物を出し入れすることが容易になる買い物袋等の袋を提供する。【解決手段】    買い物袋等本体の素材である布地等に形状保持ワイヤーを任意の間隔をおいて平行に装着させることにより、布地等が張りを持ち、あるいは曲げを保持することが可能になるため、使用時には開口部から底まで袋内が完全に開いた状態で保持されたまま型崩れすること無く自立することが出来、また、物を入れていない時は、薄平に畳むことはもちろん、縦横自由に小さく折り畳んで、携帯にも便利であることを特徴とする、形状保持ワイヤーを装着した布地等による折り畳み可能な袋。【選択図】図３
2011206499.tif 000002
【特許請求の範囲】
【請求項１】
買い物袋等の袋において、形状保持ワイヤーを任意の間隔で平行に何本も設けた形状保持ワイヤーを装着した布地等による折り畳み可能な袋。
【発明の詳細な説明】
【技術分野】
【０００１】  本発明は形状保持ワイヤーを装着した布地等から形成された、自立が出来て折り畳みも可能な袋に関するものである。
【背景技術】
【０００２】  従来、薄い生地等で作られた軽量で折り畳んで持ち運びに便利な袋がある。また、開口部の形態保持を目的として開口部周縁に形状保持材を敷設した袋や、形状維持具を具備した袋もあった（特許文献１  及び  特許文献２  参照）。
【先行技術文献】
【特許文献】
【０００３】
【特許文献１】  登録実用新案第３０９９８１２号公報
【特許文献２】  実用新案公開平７−２０８３９号公報
【発明の概要】
【発明が解決しようとする課題】
【０００４】  薄い生地から作られた軽量で折り畳みの出来る袋は、広げた時に自立が出来ず、開口部もふにゃふにゃで開口状態が保持できない為、物の出し入れ、特に物を入れる時が不便であった。また、開口部周辺に形状保持材を敷設したものは、確かに開口部はしっかり保持されるが、自立に対して配慮されていないものや、底部に形状維持具を具備して袋の形状は維持しても、折り畳み時に小さく畳むことが困難で、使用していない時の持ち運びには不便である。
【課題を解決するための手段】
【０００５】  形状保持ワイヤーを任意の間隔をおいて平行に何本も設けた布地等で、袋状を形成することで、袋の布地面が張りを持ち、且つ折り曲げたり畳んだりしてもその形を保持することが可能になる。また、布地等自体が薄い柔らかい素材であっても、型崩れすること無く自立するのみならず、開口部も袋内も完全に開いた状態を必要なだけ保持出来、物を入れていない時は扁平に薄く畳み、更に自由に折り畳むことが出来る。
形状保持ワイヤーを１枚の布地等に設けるだけでなく、２枚の布地等で挟む形で設けることも出来る。また、ワイヤーの間隔等は、ワイヤーの強度や袋全体の大きさや使用目的によって、レイアウトや寸法は自由である。
袋製作時には、形状保持ワイヤーの線方向を袋の高さ方向として製作する。マチや持ち手を設けたり、その他袋に付帯するポケットや開き留めの手段を付加することは自由である。
【発明の効果】
【０００６】  形状保持ワイヤーを平行に何本も設けた布地等によって袋状を形成することで、袋の布地面が形状を保持することが可能になってくる。その結果、薄い生地であっても、袋の開口部から底部まで完全に広げた状態で、その形状を維持し、自立した状態を保持することが出来るので、軽量で持ち運びに便利な上、物の出し入れも便利になる。
【図面の簡単な説明】
【０００７】
【図１】本発明において布地等に襞を設け、その内部に形状保持ワイヤーを装着する実施例を示す断面図
【図２】本発明において２枚の布地等に形状保持ワイヤーを挟む形で装着する別の実施例を示す断面図
【図３】本発明において、形状保持ワイヤーを装着した布地等から作成された袋の一例を示す斜視図
【発明を実施するための形態】
【０００８】  以下、本発明の実施の形態を説明する。
買い物袋等の袋において、形状保持ワイヤーを任意の間隔で平行に何本も設けた布地等を用いて製作した袋である。
本発明は以上のような構造であり、これを実際に使用する時は、
（イ）布地等（３）に間隔をおいて形状保持ワイヤー（１）を装着するための襞を設け、ワイヤー装着留め部（３）を用いて形状保持ワイヤー（１）と布地等（３）を一体化させる。
（ロ）布地等（１）へのワイヤー装着留め部（３）は、ワイヤーに沿って線状に配列される。（図１参照）
（ハ）布地等（１）２枚で形状保持ワイヤー（２）を挟み、両側にワイヤー装着留め部（３）を線状に配置させることも出来る。（図２参照）
（ニ）袋は布地等（３）において、形状保持ワイヤー（１）の線方向を袋の高さ方向に用いる形で製作される。（図３参照）
【符号の説明】
【０００９】１  形状保持ワイヤー
２  ワイヤー装着留め部
３  布地等
【図１】
2011206499.tif 000003
【図２】
2011206499.tif 000004
【図３】
2011206499.tif 000005
(57)【要約】【課題】本発明は紐の切断に従来使用されている鋏その他の器具はその都度取り上げて使用しなければならないので作業が敏速に出来ない又正確に切れないので紐が無駄になる等の欠点があるためこれ等の点を解決する目的で提供する。【解決の手段】上記の課題を解決する目的で発明したもので両端を斜めに切断した筒（１）の一端に刃体（３）を挿入する溝（２）を形成して刃体（３）を挿入して筒（１）に固定し他端に紐の引き出し制御孔（４）を形成した紐の切断器を構成し本発明を使用する場合は紐の引き出し制御孔（４）の外側より紐の先端を挿入して他端に出して物体の縛り束ね等の作業を行い刃体の刃部にて紐の切断を行う。この様な構成によって上記の課題を解決するものである。【選択図】図１
2011206498.tif 000002
【特許請求の範囲】
【請求項１】
両端を斜めに切断した筒（１）の一端に刃体（３）を挿入する溝（２）を形成して刃体（３）を挿入して筒（１）に固定し他端に紐の引き出し制御穴（４）を形成して構成する紐の切断器。
【発明の詳細な説明】
【技術分野】
【０００１】本発明は紐の切断器として発明したものである。
【背景技術】
【０００２】現在紐の切断には鋏、その他の刃物が使用されている。
【特許文献】特開平７−１０３７９
【発明の開示】
【発明が解決しようとする課題】
【０００３】そのため次のような問題点があった。
紐を使って作業する場合紐を切る道具として鋏、その他の刃物を使用しているためそのつど取り上げて使用しなければならないので不便であり又紐が正確に切れないので紐が無駄になる。本発明はこれ等の点を解決するためになされたものである。
【課題を解決するための手段】
【０００４】両端を斜めに切断した筒（１）の一端に刃体（３）を挿入する溝（２）を形成して刃体（３）を挿入して刃体（３）を筒（１）に固定し、他端に紐の引き出し制御孔（４）を形成して構成する紐の切断器。
【発明の効果】
【０００５】本発明は構成が簡単で取り扱いが容易であると共に紐が紐の切断器にセットされているため従来の鋏其の他の物と比較して作業を迅速に行うことが出来る。
【発明を実施するための最良の形態】
【０００６】本発明は両端を斜めに切断した筒（１）の一端に刃体（３）を挿入する溝（２）を形成して刃体（３）を挿入して筒（１）に固定し、他端に紐の引き出し制御孔（４）を形成して紐の引き出しを制御する。本発明は以上の構成からなるので本発明を使用するときは紐の先端を紐の切断器の紐の引き出し制御孔（４）の外側より挿入して他端に出し縛る束ねる等の作業をし紐を切る時は刃体（３）の刃部にて切断する。刃体（３）が筒（１）に対して斜めに挿入されているため紐の先端の挿入が容易である、又紐の引き出し制御孔（４）により紐の引き出しが制御される。
【図面の簡単な説明】
【０００７】
【図１】紐をセットした側面図
【図２】正面図
【図３】背面図
【符号の説明】
【０００８】１        筒
２        溝
３        刃体
４        紐の引き出し制御孔
５        紐
【図１】
2011206498.tif 000003
【図２】
2011206498.tif 000004
【図３】
2011206498.tif 000005
(57)【要約】      （修正有）【課題】インスリン薬液注入量を設定し、本体を冶具に挟込み装着し、右手で握リバーを掴む、また反対側を左手でレバー掴み取り中央へ引き寄せれば、簡単に少力で使用できる、インスリン注射器手助冶具を提供する。【解決手段】インスリン注射器（１９）は握りバー（１）の内側に装着し上部にシリンダー（３）を備え、右手（２１）で握りバー（１）と左手（２２）でレバー（２）を互いに掴んで寄せ合い、ボルトピン（１４）で連結したレバー（２）を矢印（１１）方向へ作動させれば、中段アーム（６）が前方の上段アーム（５）と下段アーム（７）を連結連動されているシリンダー（３）は、下方向へ押しインスリン注射器薬液注入ポンプ（２０）の頭部を押されて薬液が注入される。【選択図】図１
2011206496.tif 000002
【特許請求の範囲】
【請求項１】
冶具の構成は握りバー（１）とレバー（２）を接続しているボルトピン（１４）で一体となり、上部中央にシリンダーレール（４）を備えその中に可動するシリンダー（３）を設けた。レバー（２）が矢印（１１）の方向に引寄せれば中段アーム（６）より上段アーム（５）と下段アーム（７）にボルトピン（１６）で支点接続され、それぞれの力が変換されて伝えられ、シリンダー（３）の先端に伝達し下降運動しながらシリンダーヘット（８）も、その線上で同調しインスリン注射器薬液注入ポンプ（２０）の頭部を押し込みする事を特徴とするインスリン注射器手助冶具。
【請求項２】
前記、冶具の握りバー（１）内側の下方にインスリン注射器本体ストッパ（１０）を備え、インスリン注射器（１９）を装着可能としたインスリン注射器本体挟込み部（１８）を設け、使い易い冶具とした事を特徴とする請求項１記載のインスリン注射器手助冶具。
【発明の詳細な説明】
【技術分野】
【０００１】  この発明は、インスリン注射器の薬液注入が一人で出きない人が少力で使い易く注入できる冶具に関する。
【背景技術】
【０００２】  従来の技術は、図面５に示すようインスリン注射器（１９）のインスリン注射器薬液注入ポンプ（２０）を右手（２１）に持ち下腹部（２４）に針を刺し、ゆっくりと親指で押しながら注入するだけのものであった、しかしながら、インスリン注射器薬液注入ポンプ（２０）の外ネジ勾配が小さくてすり合せが悪いため親指で押す力が大きく、老人などは他人の手助が必要とされた背景がある。
【発明の概要】
【発明が解決しようとする課題】
【０００５】  しかしながら、今までにこの様な技術手段がなかったことに疑問を思います。このインスリン注射器の薬液注入ポンプ頭部を押す力が非常に大きく、年老いた人などは一人で行なうことが難しく手助が必要とされていた。そこで、この発明はインスリン薬液注入量を設定し本体を冶具に挟込み装着し右手で握リバーを掴む、また反対側を左手でレバー掴み取り中央へ引き寄せれば、簡単に少力で使用できる、インスリン注射器手助冶具を提供することを課題とした。
【課題を解決するための手段】
【０００６】  以上の課題を解決するために、第一発明は握りバーとレバーとシリンダーの３点から構成し組み建てらたことを特徴とした。また、第二発明は握りバー内側にインスリン注射器本体挟込み部とインスリン注射器本体ストッパを内臓していることを特徴とするインスリン注射器手助冶具である。
【発明の効果】
【０００７】  この発明によれば、インスリン注射器の薬液注入ポンプ頭部にかかる力を最小限にし、左右の手を使いインスリン注射器を挟込んだ冶具を使って下腹部に針を差込み左手をゆっくり作動させれば少力で簡単に使用できる。
【図面の簡単な説明】
【０００８】
【図１】この発明の一実施形態の使用時を示す外観斜形立体図である。
【図２】この発明の冶具形態を示す外観斜形立面図である。
【図３】この発明の冶具形態を示す外観立面図である。
【図４】この発明の治具中央部のシリンダー立面図である。
【図５】従来技術を示す斜視立体図である。
【発明を実施するための形態】
【０００９】  握りバー（１）上部にシリンダー（３）を設け、その先端にレバー（２）とボルトピン（１４）で接合した治具本体であって中央にはシリンダーレール（４）を設け、その内部の上下にはベアリング（９）を内臓させシリンダー（３）の下降運動がスムーズに成るよう手助けする。レバー（２）の上部近くにボルトピン（１５）に中間アーム（６）を接合し反対側先端にボルトピン（１６）両脇側に上段アーム（５）と下段アーム（７）を取付けシリンダーレール（４）はボルトピン（１３）と接合支点とし可動軸となる。また、ボルトピン（１６）の対称側に下段アーム（７）を設けシリンダー（３）の下方先端に下段アーム取入開口（２３）内でボルトピン（１７）で接合し連結装置とした。これは握りバー（１）を右手（２１）に持ち、左手（２２）でレバー（２）を握り少力でゆっくりと引込むことにより３点アームが連動しシリンダー（３）の先端シリンダーヘット（８）でインスリン注射器薬液注入ポンプ（２０）頭部を押す事のできるインスリン注射器手助治具。
【実施形態の効果】
【００１０】  この実施形態によれば、右手（２１）で握りバー（１）と左手（２２）でレバー（２）を互いに掴んで寄せ合えば上部シリンダーレール（４）内側の上下に取付けたベアリング（９）の内側にシリンダー（３）を取付けた。その先端にはボルトピン（１７）と連結している下段アーム（７）が上段アーム（５）と中段アーム（６）とレバー（２）が連結しているため中央に引き寄せれば、先の３点アームが働きシリンダー（３）を下降させシリンダーヘット（８）と一体となって共にインスリン注射器薬液注入ポンプ（２０）頭部を押すのでその役目を果たす事のできる治具であり、今までは少力で押込む事のできない人でも少力で大きい力を生み出す事ができ年老ても簡単に使用できる。
【符号の説明】
【００１０】［図１・２・３・４・５］
〔１〕  握りバー                        〔１３〕  ボルトピン
〔２〕  レバー                          〔１４〕  ボルトピン
〔３〕  シリンダー                      〔１５〕  ボルトピン
〔４〕  シリンダーレール                〔１６〕  ボルトピン
〔５〕  上段アーム                      〔１７〕  ボルトピン
〔６〕  中段アーム                      〔１８〕  インスリン注射器本体挟込み部
〔７〕  下段アーム                      〔１９〕  インスリン注射器
〔８〕  シリンダーヘット                〔２０〕  インスリン注射器薬液注入ポンプ
〔９〕  ベアリング                      〔２１〕  右手
〔１０〕  インスリン注射器本体ストッパ  〔２２〕  左手
〔１１〕  矢印  ―――→                〔２３〕  下段アーム取入開口
〔１２〕  シリンダーキャップ            〔２４〕  下腹部
【図１】
2011206496.tif 000003
【図２】
2011206496.tif 000004
【図３】
2011206496.tif 000005
【図４】
2011206496.tif 000006
【図５】
2011206496.tif 000007
(57)【要約】      （修正有）【課題】プラグハンドリングにおける手の挟圧やＣフックからのプラグ落下の危険性を無くするプラグハンドリング治具を提供する。【解決手段】プラグハンドリング治具は、専用ラック12に立設してプラグ10のバー孔4に遊嵌しバー孔底を支えてプラグ10をラック床面2上に隙間7を空けて保持可能としたプラグ支柱5と、該プラグ支柱で保持されたプラグ10を隙間7ごと筒下端開口から筒内に収容可能かつ筒外から隙間7に通したプラグ支持具3で筒内のプラグ10を支持可能として筒上端にクレーンフックに係合する吊手8を設けたプラグ搬送筒とを有してなる。【選択図】図１
2011206805.tif 000002
【特許請求の範囲】
【請求項１】
継目無鋼管用プラグをハンドリングするためのプラグハンドリング治具であって、専用ラックに立設して前記プラグのバー孔に遊嵌しバー孔底を支えて前記プラグをラック床面上に隙間を空けて保持可能としたプラグ支柱と、該プラグ支柱で保持されたプラグを前記隙間ごと筒下端開口から筒内に収容可能かつ筒外から前記隙間に通したプラグ支持具で筒内のプラグを支持可能として筒上端にクレーンフックに係合する吊手を設けたプラグ搬送筒とを有してなることを特徴とするプラグハンドリング治具。
【発明の詳細な説明】
【技術分野】
【０００１】
本発明は、プラグハンドリング治具に関し、詳しくは、継目無鋼管用プラグのハンドリング（吊り上げ、吊り下ろし作業）に用いるプラグハンドリング治具に関する。
【背景技術】
【０００２】
継目無鋼管の製造工程では、圧延工具として継目無鋼管用プラグ（以下、単にプラグともいう）が使用されている。
ところで、継目無鋼管を製造する際には、劣化したプラグを新しいプラグと交換するプラグ交換作業が生じる。例えば、圧延ラインの近くに、プラグ交換ロボットを設置し、劣化したプラグをバーから取り外し、引き続き新しいプラグを取り付けるプラグ交換作業が行われている（特許文献１）。
【先行技術文献】
【特許文献】
【０００３】
【特許文献１】特開平９−２３４５０４号公報
【発明の概要】
【発明が解決しようとする課題】
【０００４】
上記のプラグ交換作業に付随して、新しいプラグをプラグ交換作業が行われている場所に供給したり、劣化したプラグをプラグ供給場所へ戻すときには、プラグをハンドリングする作業が発生する。このハンドリングは、クレーンを用いて行われているが、太径サイズのプラグは重く、クレーンで移動する際にプラグを横に倒すので、手の挟圧の危険性がある。また図３に示すようにＣフック11をプラグ10のバー孔4に掛けて吊る際は、フックの掛かり具合、クレーンの振れなどでプラグの落下の危険性がある。
【課題を解決するための手段】
【０００５】
本発明は、プラグハンドリングにおける手の挟圧やプラグの落下などの危険性を無くするためになされたものであって、その要旨は次のとおりである。
（１）継目無鋼管用プラグをハンドリングするためのプラグハンドリング治具であって、専用ラックに立設して前記プラグのバー孔に遊嵌しバー孔底を支えて前記プラグをラック床面上に隙間を空けて保持可能としたプラグ支柱と、該プラグ支柱で保持されたプラグを前記隙間ごと筒下端開口から筒内に収容可能かつ筒外から前記隙間に通したプラグ支持具で筒内のプラグを支持可能として筒上端にクレーンフックに係合する吊手を設けたプラグ搬送筒とを有してなることを特徴とするプラグハンドリング治具。
【発明の効果】
【０００６】
本発明によれば、直接プラグに触れることなくかつプラグを横に倒すことなくハンドリングができるので、手の挟圧の危険を回避でき、また、プラグを収容した筒の上端の吊手をクレーンフックで吊持するので、クレーンが振れてもプラグ落下の危険性がない。
【図面の簡単な説明】
【０００７】
【図１】本発明に係るプラグ搬送筒の一例を示す概略立体図(a)とそのA-A断面図(b)およびB-B断面図(c)
【図２】本発明に係るプラグ支柱の一例を示す概略立体図
【図３】従来のプラグハンドリング方法の一例を示す概略立体図
【発明を実施するための形態】
【０００８】
本発明のプラグハンドリング治具は、例えば図２に示すようなプラグ支柱5と、例えば図１に示すようなプラグ搬送筒1とを有してなる。プラグ支柱5は、専用ラック12に立設されてプラグ10のバー孔4に遊嵌しバー孔底を支えてプラグ10をラック床面2上に隙間7を空けて保持可能とされている。なお、専用ラック12は、例えば前記プラグ供給場所に配置される。一方、プラグ搬送筒1は、プラグ支柱5で保持されたプラグ10を隙間7ごと筒下端開口から筒内に収容可能かつ筒外から例えば筒壁孔6を介して隙間7に通した、好ましくは複数の、プラグ支持具3で筒内のプラグ10を支持可能な形態とされ、筒上端にはクレーンフック（図示省略）に係合する吊手8を設けてある。なお、プラグ支持具3を筒内の隙間7に通す経路はプラグ支柱5と干渉しないように設けてある。
【０００９】
本発明のプラグハンドリング治具は上記のように構成されているので、これを用いれば、専用ラック12内のプラグ10を吊り上げる際は、空状態にしたプラグ搬送筒1をプラグ10に被せた後、プラグ支持具3を筒壁孔6から隙間7に通し、その後クレーンフックを吊手8に掛けて吊り上げるだけでよい。また、プラグ10を専用ラック12内に吊り下ろす際は、プラグ10を収容したプラグ搬送筒1を、裸のプラグ支柱5に筒内のプラグ10のバー孔4が嵌るように吊り下ろした後、筒壁孔6からプラグ支持具3を抜き取り、プラグ10をプラグ支柱5に預けて空状態になったプラグ搬送筒1を吊り上げるだけでよい。したがって、本発明によれば、直接プラグに触れることなくかつプラグを横に倒すことなくハンドリングができて、手の挟圧の危険を回避でき、また、プラグを収容した筒の上端の吊手をクレーンフックで吊持するので、クレーンが振れてもプラグ落下の危険性がない。
【実施例】
【００１０】
中径継目無鋼管工場におけるピアサープラグのハンドリング（吊り上げ、吊り下ろし作業）を対象に、図１および図２に例示した実施形態にて本発明を適用したところ、当該ハンドリング作業の安全性が従来に比べて大幅に向上した。
【符号の説明】
【００１１】
1  プラグ搬送筒
2  ラック床面
3  プラグ支持具
4  バー孔
5  プラグ支柱
6  筒壁孔
7  隙間
8  吊手
10  プラグ（継目無鋼管用プラグ）
11  Ｃフック
12  専用ラック
【図１】
2011206805.tif 000003
【図２】
2011206805.tif 000004
【図３】
2011206805.tif 000005